(57)【要約】      （修正有）【課題】防水構造を有した電子端末のホイップアンテナの密封信頼性を向上するとともに、オーリング装着時の組立工数の増加を解決するホイップアンテナ防水構造を提供する。【解決手段】電子端末１内に収納されるホイップアンテナ１０は、ホイップアンテナの取付部３と、ホイップアンテナの軸方向に摺動自在に装着され、鍔部が設けられたホルダ１４と、一端に密封手段が設けられ、他端は封止されている円筒状の封止チューブ２０を有し、ホイップアンテナ取付部とホルダの鍔部にその密封手段が挟持されている。密封手段は、封止チューブの一端外周部が、オーリング２１形状に成形されたものである。また、密封手段は、封止チューブの一端が、ホイップアンテナの軸方向に対し直角方向に径が異なる複数のオーリング２２形状に成形されていてもよい。【選択図】図５
0003188541.tif 000002
【実用新案登録請求の範囲】
【請求項１】
電子端末内に収納されるホイップアンテナにおいて、
前記電子端末の前記ホイップアンテナの取付部と、
前記ホイップアンテナの軸方向に摺動自在に装着され、鍔部が設けられたホルダと、
一端に密封手段が設けられ、他端は封止されている円筒部材と、
前記ホイップアンテナ取付部と前記ホルダの鍔部に前記密封手段が挟持されることを
特徴とするホイップアンテナ防水構造。
【請求項２】
前記密封手段は、
前記円筒部材の一端の外周部が、オーリング形状に成形されていることを特徴とする請求項１記載のホイップアンテナ防水構造。
【請求項３】
前記密封手段は、
前記円筒部材の一端が、前記ホイップアンテナの軸方向に対し直角方向に径が異なる複数のオーリング形状が成形されていることを特徴とする請求項１記載のホイップアンテナ防水構造。
【請求項４】
前記密封手段は、
前記円筒部材の一端の外周部が、蛇腹状に成形されていることを特徴とする請求項１記載のホイップアンテナ防水構造。
【請求項５】
前記密封手段は、
前記円筒部材の一端の外周部が、オーリング状に巻回した形状に成形されていることを特徴とする請求項１記載のホイップアンテナ防水構造。
【請求項６】
前記密封手段は、
前記円筒部材の一端の外周部が、前記挟持部の形状に合わせ成形されていることを特徴とする請求項１記載のホイップアンテナ防水構造。
【請求項７】
前記円筒部材の中に、第２の円筒部材が挿入されていることを特徴とする請求項１、請求項２、請求項３、請求項４、または請求項５記載のホイップアンテナ防水構造。
【考案の詳細な説明】
【技術分野】
【０００１】  本考案は、電子端末に取り付けるホイップアンテナの防水構造に関する。特に、ホイップアンテナを電子端末内に収納する構造において、ホイップアンテナを収納するための開口部から筐体内に水等の侵入を防ぐ構造に関するものである。
【背景技術】
【０００２】  電子端末用のアンテナは、一般的に伸縮機能をもった棒状のホイップアンテナが取り付けられ、伸張状態においては、デジタル放送等の受信に適した長さを有している。また、電子端末に前記ホイップアンテナを取り付ける方法として、筐体の中に収納する内装型と、筐体の側面等（外装面）に取り付けられる外装型がある。【０００３】  特に内装型のホイップアンテナの取付構造においては、ホイップアンテナを筐体内に収納する場合、大別して２つの防水構造がある。第１の構造は、筐体内に設けられた非防水区画にホイップアンテナを搭載する構造がある。また第２の構造として、筐体内の防水区画にホイップアンテナを設けホイップアンテナを包み込み、筐体内を防水する構造がある。
【考案の概要】
【考案が解決しようとする課題】
【０００４】  地上デジタル放送（以下、地デジとする）を受信する機能を有している電子端末では、地デジを受信するための周波数帯域が５００ＭＨｚ程度に共振点をもつアンテナが必要であるため、地デジを良好に受信するには、略１５ｃｍ程度の長さを確保しなくてはならない。よって、電子端末の内蔵にアンテナを配置することが難しい。この結果、ホイップアンテナを電子端末に装備するのが一般的である。また、防水性能を必要とする電子端末の場合、ホイップアンテナを外装型にして、アンテナの取付部のみを防水することで、筐体の防水構造に大きな改良を加えず、防水性能を満たしていた。【０００５】  しかし、電子端末に外装型のホイップアンテナを装着すると、ホイップアンテナの外観形状や筐体のデザインが制約されてしまう。その対策として外観への影響が少ない電子端末内部に収納する内装型構造のホイップアンテナが求められている。【０００６】  本発明は、上記の如く内装型ホイップアンテナの防水構造に鑑みて考案したものであって、特に前記第２の構造を有した電子端末の防水構造で問題となっている、オーリング装着時の信頼性、アンテナにチューブおよびオーリングを装着する組立工数の増加等の課題を解決するホイップアンテナ防水構造を提供することにある。
【課題を解決するための手段】
【０００７】  上記目的を達成するため請求項１に記載された考案は、
電子端末内に収納されるホイップアンテナにおいて、前記電子端末の前記ホイップアンテナの取付部と、前記ホイップアンテナの軸方向に摺動自在に装着され、鍔部が設けられたホルダと、一端に密封手段が設けられ、他端は封止されている円筒部材と、前記ホイップアンテナ取付部と前記ホルダの鍔部に前記密封手段が挟持されることを特徴とする。
このように本出願第１の考案によれば、一体成形された円筒部材の一端部は、電子端末のホイップアンテナ取り付け部と、ホイップアンテナに装着されたホルダとの間で挟持されるように組み込まれ、ホルダを固定時に挟持部が押し圧されることにより密封される。本構成により、オーリング等の別部材を装着する必要が無いため、ホイップアンテナの装着性および密封性の信頼性が向上する。【０００８】  また上記目的を達成するため請求項２に記載された考案の
前記密封手段は、前記円筒部材の一端の外周部が、オーリング形状に成形されていることを特徴とする。
このように、本出願の第１の考案の密封手段は円筒部材の一端の外周部が、オーリング形状に成形されているため、オーリングを新に装着する必要が無く、組立性のの良い密封構造を得ることができる。【０００９】  また上記目的を達成するため請求項３に記載された考案の
前記密封手段は、前記円筒部材の一端が、前記ホイップアンテナの軸方向に対し直角方向に径が異なる複数のオーリング形状が成形されていることを特徴とする。
このように、本出願の第１の考案の密封手段は複数のオーリングが放射状に成形されているため、信頼性の高い密封性能が得ることができる。【００１０】  上記目的を達成するため請求項４に記載された考案の
前記密封手段は、前記円筒部材の一端の外周部が、蛇腹状に成形されていることを特徴とする。
このように、本出願の第１の考案の密封手段は蛇腹状に成形されているため、電子端末がなんらかの衝撃を受けた際に生じる、変形に対して柔軟に追従することができ密着性を維持することができる。【００１１】  上記目的を達成するため請求項５に記載された考案の
前記密封手段は、前記円筒部材の一端の外周部が、オーリング状に巻回した形状に成形されていることを特徴とする。
このように、本出願の第１の密封手段はオーリング状に巻かれて成形されているため、請求項２に記載の考案と同等の密封性能が得られる。また、円筒部材の肉厚を略０．２ｍｍ以下で均一に成形ができるため、成形性を向上することができる。【００１２】  上記目的を達成するため請求項６に記載された考案の
前記密封手段は、前記円筒部材の一端の外周部が、前記挟持部の形状に合わせ成形されていることを特徴とする。
このように、本出願の第１の密封手段は挟持部の形状に合わせて成形されているため、ホルダとホイップアンテナ取付部の形状が円形以外の形状を有しても、密着部を確保することができる。【００１３】  上記目的を達成するため請求項７に記載された考案は、
前記円筒部材の中に、第２の円筒部材が挿入されていることを特徴とする。
かかる、本出願のホイップアンテナは、携帯型電子機器であるスマートフォンの薄型化に対応するため、従来よりも細いホイップアンテナが求められている。そのため、ホイップアンテナを包む円筒部材を限りなく薄くすることが望まれている。しかし、柔軟性を有しながら素材の厚みを薄くすれば、円筒形状を維持することが難しくなり、円筒部材を装着したホイップアンテナを筐体内へ装着する時、円筒部材が曲がりスムーズに装着できないことがある。本問題を解決するため、第２の円筒部材を円筒部材に挿入することにより、ホイップアンテナを組み込む時に発生する円筒部材の曲りを矯正することができ、ホイップアンテナをスムーズに装着することができる。【００１４】  また、ホイップアンテナを筐体から引き出し時、または収納時において、ホイップアンテナが円筒部材の内壁を擦ることがある。このように円筒部材の内壁にホイップアンテナに装着された金具類が引っかかり、ホイップアンテナのスムーズな伸縮性が得られなくなることがある。本問題を解決するには、円筒部材の内壁部を第２の円筒部材により保護することで内壁への擦れを防止し、スムーズな伸縮動作を得ることができる。なお、第２の円筒部材の素材は、円筒部材よりも硬い（硬度）素材が望ましく、金属素材を使用してもよい。
【考案の効果】
【００１５】  以上、請求項１から請求項７までの考案によれば、本考案のホイップアンテナ防水構造は、オーリングと一体化した円筒部材を採用することにより、密封部品であるオーリングを必要としないため、オーリングの装着持に発生する破損等による密封不良を防止できるとともに、オーリングを装着する工数の増加を削減することができる。
【図面の簡単な説明】
【００１６】
【図１】本考案の実施形態であるホイップアンテナを分解した斜視図である。
【図２】ホイップアンテナの基本構成を示す斜視図である。
【図３】ホイップアンテナを電子端末に取り付けている状態を示す説明図である。（ａ）は収納状態を示す説明図である。（ｂ）は伸張状態を示す説明図である。
【図４】（ａ）は従来のホイップアンテナの防水構造を示す斜視図である。（ｂ）は従来のホイップアンテナを筐体に装着した断面図である。
【図５】（ａ）は筐体に第１の防水構造を装着した断面図である。（ｂ）は筐体との嵌合部を拡大した断面図である。（ｃ）は筐体のホイップアンテナ取付部の拡大断面図である。（ｄ）は第２の防水構造の断面図である。
【図６】（ａ）は筐体に第３の防水構造を適用した断面図である。（ｂ）は筐体との嵌合部を拡大した断面図である。
【図７】（ａ）は筐体に第４の防水構造を適用した断面図である。（ｂ）は筐体との嵌合部を拡大した断面図である。
【図８】（ａ）は筐体に第５の防水構造を適用した断面図である。（ｂ）は筐体との嵌合部を拡大した断面図である。
【図９】（ａ）は封止チューブとインナーチューブの斜視図である。（ｂ）は封止チューブにインナーチューブを装着した断面図である。
【考案を実施するための形態】
【００１７】  本考案の実施の形態を図面に基づいて説明する。
まずホイップアンテナ１０の基本構成を図２のホイップアンテナの斜視図より説明する。一般的なホイップアンテナは複数の円筒部材と柔軟性のある金属棒とを組み合わせ伸縮可能な構成としている。ホイップアンテナ１０の収納時の保持部材として上端部近傍に収納保持金具１１が組み付けられ、下端部には伸張保持金具１２が取り付けられている。また、ホイップアンテナ１０が筐体中に収納されている状態を、図３（ａ）で示しているように、ホイップアンテナ１０を引き出すための形状を有したカバ１３が露出し、外観を電子端末のデザインに合わせた色、形状としている。
【００１８】  なお、図２で示しているように、ホイップアンテナ１０を筐体に固定するホルダ１４の円筒部には  ホイップアンテナが軸方向に摺動可能な状態に装着されている。また、図２（Ｂ）ではホルダ１４の円筒部が伸張保持金具１２の位置で保持されている状態を示している。また、ホルダ１４の円筒部内側には導電性を有したドラム型スプリング（図示せず）が装着されている。前記ドラム型スプリングは、ホイップアンテナ１０の伸張時に伸張保持金具１２と接触し、保持力をスプリングから得ることができるとともに、ホルダ１４とホイップアンテナ１０とが導通する。また、ホルダ１４の鍔部１５に設けられた固定穴１６と筐体に設けられたネジ穴２にホルダ固定ネジ１７を用いて固定される。この時筐体側からホルダ１４に対して電気的な接続をするための接触子（図示せず）が当たるように配置されており、ホルダ固定ネジ１７もしくは鍔部１５が接触し導通状態となる。この構成により、筐体１からホイップアンテナ１０に電気的な接続ができるため、アンテナとして機能する構成となっている。
【００１９】  図３（Ｂ）では電子端末１からホイップアンテナ１０を引き出した状態であり、伸張保持金具１２がホルダ１４により保持されている状態を示している。また本状態は、伸張保持金具１２の上部にヒンジ機構１８が接続され、回転及び角度を任意の位置に可動する状態を示している。
【００２０】  上記ホイップアンテナの基本構成を基に本考案の実施例を説明する。図１の斜視図は本考案のホイップアンテナ１０の防水構造を示している。また、図５（ａ）、（ｂ）、（ｃ）で示す断面図は、電子端末である筐体１にホイップアンテナ１０が装着されている状態を示している。
本考案のホイップアンテナ１０を筐体１に固定するには、ホルダ１４とホイップアンテナ１０との間に円筒部材（以下、円筒部材を封止チューブ２０とする）が組み込まれる。また封止チューブ２０の一端には、略オーリング形状とした封止部２１が成形されており、ホルダ１４を筐体１に固定する際、ホルダ１４と筐体１との間で押し圧されることにより密着し、ホイップアンテナ１０を収納するために設けられた開口部４が密閉される。
【００２１】  このように、封止チューブ２０により、ホイップアンテナ１０に装着されたホルダ１４と筐体１との間が密閉状態となり、ホイップアンテナ取付部３から筐体内部への水等の侵入を防ぐことができる。
【００２２】  なお、ホイップアンテナ１０が伸張途中の状態を図５（ａ）、（ｂ）に示している通り、ホルダ１４の内側が開口状態となる。この時、封止チューブ２０の内部に水等が侵入するが、封止チューブ２０の下端部は封止されているため、筐体内部へ水等が漏れない構造となっている。
【００２３】  ここで従来の内装型のホイップアンテナの防水構造の実施例を図４を用いて説明する。図４の従来のホイップアンテナ１０に構成された防水構造では、オーリング３０を後付け部品として取り付けている。この構成はホルダ１４へオーリング３０を装着しなくてはならず、オーリングが回転し、ねじれてしまうことがあり、よじれによる潰れ、切れ、キズ等が発生し、防水性能を損なう要因があった。また、ホルダ１４とチューブ３１とがインサート成形、または接着材により装着されているため、防水性能を満たしているかを確認するためには、気密試験等の密閉性能の検査が組立後、別途必要となり、検査工数が増加していた。
【００２４】  このような問題に対して、本考案の実施例である図５（ａ）、（ｂ）で示している第１の防水構造では、封止チューブ２０の一端部の形状をリング２１として一体成形とすることにより、オーリング３０を装着する必要がなくなる。従って、オーリング取付時に問題となっているねじれ等の発生を防止することができ、オーリングを装着する際に発生していた不具合を改善できる。
【００２５】  また、図５（ｄ）で示している第２９防水構造は、封止チューブ２０の一端部の形状を放射状に複数のリングを設けたもをリング２２の断面図として示しており、密着面を複数のリングにより防水能力を向上させたものである。また、図６で示している第３の防水構造は、蛇腹のリング２３にすることにより、封止チューブ２０の肉厚を全体に渡り均一に成形することができる。また図７で示している第４の防水構造は、封止チューブの一端部を複数回巻し（断面がゼンマイ状）リング２４となるオーリング形状とすることにより、リング２１と同等の機能を有することができる。このように、封止チューブ２０の肉厚を均一に薄くすることができ、巻回を所定の肉厚になるまで巻き込むことができるので、所望の大きさを容易に得ることができる。
【００２６】  また図８で示している第５の防水構造は、ホイップアンテナ取付部３とホルダ鍔部１５との挟持部の形状に合わせてリング２５が成形されている。本形状によると、ホルダ１４の鍔形部１５およびホイップアンテナ取付部３の形状に合わせることができるため、密着性を最大限に確保でき、所望の防水性能を得ることができる。
【００２７】  以上の本考案の実施例で説明した封止チューブ２０の素材は、柔軟性のある樹脂素材を採用することが良い。現在考えられる素材は、シリコン、エラストマ、ナイロン等を主成分とした柔軟性のある素材があるが、仕様により最も適した素材を選択し封止用チューブ２０とすることができる。なお、先に述べた素材以外に柔軟性よりも薄くすることに優先した素材を使用することも考えられる。
【００２８】  次に図９に示す実施例を説明する。封止チューブ２０は密封性能が求められており、挟持部はオーリングと同等の機能が必要とされている。また細型のホイップアンテナに適用するため、肉厚を薄くする形状も必要とされている。そのため、電子機器である筐体１に設けられたホイップアンテナ開口部４の挿入孔に、封止チューブ２０を装着したホイップアンテナを挿入しようとする時、封止チューブ２０が挿入孔の中で曲り入り難いことがある。このような組立性の問題を改善するため、本考案の実施例では、インナーチューブ４０を封止チューブ２０内に装着することにより、曲りを矯正する効果が得られ、スムーズな装着が可能となる。
【００２９】  また図９に示す本考案の実施例の他の効果として、ホイップアンテナを伸縮動作させた場合、封止チューブ２０内をホイップアンテナの伸張保持金具１２が封止チューブ２０の内壁面に接触し損傷することが考えられ、最悪密封性が失われることが予想される。そのような封止チューブ２０の密封機能に対してインナーチューブ４０を装着することにより、保護され、密封性能の信頼性を向上することができる。
【００３０】  また、本考案の具体的な構成や素材は、前述の実施例に限られるものではなく、この考案の要旨を逸脱しない範囲の変更があってもこの考案に含まれるものとする。
【符号の説明】
【００３１】１    電子端末（筐体）
２    ネジ穴
３    ホイップアンテナ取付部
４    開口部
１０  ホイップアンテナ
１１  収納保持金具
１２  伸張保持金具
１３  カバ
１４  ホルダ
１５  ホルダ鍔部
１６  固定穴
１７  ホルダ固定ネジ
１８  ヒンジ機構
２０  封止チューブ
２１、２２、２３、２４、２５  リング
３０  オーリング
３１  チューブ
４０  インナーチューブ
【図１】
0003188541.tif 000003
【図２】
0003188541.tif 000004
【図３】
0003188541.tif 000005
【図４】
0003188541.tif 000006
【図５】
0003188541.tif 000007
【図６】
0003188541.tif 000008
【図７】
0003188541.tif 000009
【図８】
0003188541.tif 000010
【図９】
0003188541.tif 000011